(57)【要約】【課題】  照明装置を使って撮像が行われる場合に、各種ノイズの影響を低減させる矩形波信号の高周波成分を取り除いた波形の信号で照明装置を駆動する照明制御装置を提供する。【解決手段】  撮像装置の照明制御装置は、露光時間内に立ち下がり時と次の波形の立ち上がり時の間に一定時間のオフ期間を有するノコギリ波信号の供給を受けることで被写体に向けた点灯を行う照明手段と、ノコギリ波信号を照明手段に供給する信号供給手段とを備える。信号供給手段は、一定パルス振幅及び一定パルス周期で矩形波信号を出力する矩形波信号出力手段と、矩形波信号を一定振幅及び一定周期で且つ矩形波信号の立ち下がり時にピークを示すノコギリ波信号に変換して出力する波形変換手段と、トランジスタを介してノコギリ波信号を前記照明手段に供給する点灯手段とを有する。【選択図】        図６
2005181810.tif 000002
【特許請求の範囲】
【請求項１】
露光時間内に立ち下がり時と次の波形の立ち上がり時の間に一定時間のオフ期間を有するノコギリ波信号または前記立ち下がりの後瞬時に次の波形の立ち上がりが始まる三角波信号の供給を受けることで被写体に向けた点灯を行う照明手段と、
前記ノコギリ波信号または三角波信号を前記照明手段に供給する信号供給手段とを備える撮像装置の照明制御装置。
【請求項２】
前記信号供給手段は、一定のパルス振幅及び一定のパルス周期で矩形波信号を出力する矩形波信号出力手段と、前記矩形波信号を前記ノコギリ波信号または前記三角波信号に変換して出力する波形変換手段と、増幅部を介して前記ノコギリ波信号または三角波信号を前記照明手段に供給する点灯手段とを有することを特徴とする請求項１に記載の照明制御装置。
【請求項３】
前記ノコギリ波信号及び前記三角波信号の振幅、周期は、前記矩形波信号のパルス振幅、パルス周期と同じであることを特徴とする請求項２に記載の照明制御装置。
【請求項４】
前記ノコギリ波信号及び前記三角波信号の波形は、前記矩形波信号の波形の立ち下がり時にピークを示すことを特徴とする請求項２に記載の照明制御装置。
【請求項５】
前記波形変換手段は、前記矩形波信号を逆位相に変換する反転増幅回路と、前記逆位相の矩形波信号を前記ノコギリ波信号または三角波信号に変換する積分回路とを有することを特徴とする請求項２に記載の照明制御装置。
【請求項６】
前記反転増幅回路の有する第１オペアンプの出力端子は前記積分回路の有する第２オペアンプの反転入力端子と接続され、前記反転増幅回路の有する第１オペアンプの非反転入力端子は、前記積分回路の有する第２オペアンプの非反転入力端子と接続されることを特徴とする請求項５に記載の照明制御装置。
【請求項７】
前記ノコギリ波信号及び前記三角波信号の周期は１／５０秒以下であることを特徴とする請求項１に記載の照明制御装置。
【請求項８】
前記照明手段は光源としてＬＥＤを備えることを特徴とする請求項１に記載の照明制御装置。
【請求項９】
前記増幅部は、トランジスタを備えることを特徴とする請求項２に記載の照明制御装置。
【発明の詳細な説明】
【技術分野】
【０００１】
本発明は、撮像装置における照明制御装置に関し、特に照明用ＬＥＤを駆動する信号波形の改良に関する。
【背景技術】
【０００２】
従来、カメラなどの撮像装置で広く用いられてきた、キセノン管などのストロボ発光による照明装置に代わり、低電圧駆動が可能で回路構成が簡単なＬＥＤを使った照明装置が提案されている。
【０００３】
ＬＥＤを連続して発光させることにより、ＬＥＤは温度上昇する。この温度上昇はＬＥＤの光量を下げる原因となる。図１は、温度上昇とＬＥＤの光量の関係を示す図であり、温度上昇に伴って、ＬＥＤの光量すなわち輝度が落ちることが分かる。
【０００４】
特許文献１は、撮像装置において、矩形波のパルス駆動によるＬＥＤ発光を行い、静止画の発光撮影の連写を可能にしたＬＥＤによる照明装置を開示している。ＤＣ駆動に比べてパルス駆動を用いると通電オフ期間が設けられるので、発光に伴い発生する熱によるＬＥＤの温度上昇を抑えることが可能である。図２は、横軸に時間をとり、ＤＣ駆動の場合のＬＥＤの温度上昇（図２の（１）線）と、矩形波のパルス駆動の場合のＬＥＤの温度上昇（図２の（２）線）の違いを示す図である。いずれも信号がオン状態にある場合は、照明用ＬＥＤは点灯する。ＤＣ駆動の場合は、ＬＥＤを点灯すべき期間の間（Ｔ０〜Ｔ５）、定常電流が流れるため、ＬＥＤの温度は上昇し続ける。オフにした時点（Ｔ５）から、温度は下がる。一方、パルス駆動の場合は、ＬＥＤを点灯すべき期間の間にも信号がオフにされる期間（Ｔ１〜Ｔ２、Ｔ３〜Ｔ４）があり、この期間の間、ＬＥＤの温度は下がる。そのため、ＬＥＤの点灯期間中（Ｔ０〜Ｔ５）にも、ＬＥＤの温度は上昇と下降を繰り返し、結果として熱の蓄積は、ＤＣ駆動の場合に比べて少なくて済む。
【特許文献１】特開２００３−１０１８３６号公報
【発明の開示】
【発明が解決しようとする課題】
【０００５】
しかし、特許文献１の装置の矩形波のパルス駆動では、急激なオン／オフ信号変化による電源ラインのノイズや、矩形波に含まれる高周波成分による周辺回路へのノイズの影響、及び突入電流の影響が生じる。
【０００６】
したがって本発明の目的は、照明装置を使って撮像が行われる場合に、各種ノイズの影響を低減させる矩形波信号の高周波成分を取り除いた波形の信号で照明装置を駆動する照明制御装置を提供することである。
【課題を解決するための手段】
【０００７】
本発明に係る撮像装置の照明制御装置は、露光時間内に立ち下がり時と次の波形の立ち上がり時の間に一定時間のオフ期間を有するノコギリ波信号または立ち下がりの後瞬時に次の波形の立ち上がりが始まる三角波信号の供給を受けることで被写体に向けた点灯を行う照明手段と、ノコギリ波信号または三角波信号を照明手段に供給する信号供給手段とを備える。これにより、矩形波信号と同様に通電オフ期間を有するので露光装置の照明手段の温度上昇を抑制することができ、かつ矩形波信号で駆動する際に比べて高周波成分によるノイズの影響が少ない波形のノコギリ波信号または三角波信号によって照明手段を点灯させることが可能になる。
【０００８】
好ましくは、信号供給手段は、一定のパルス振幅及び一定のパルス周期で矩形波信号を出力する矩形波信号出力手段と、矩形波信号をノコギリ波信号または三角波信号に変換して出力する波形変換手段と、増幅部を介してノコギリ波信号または三角波信号を前記照明手段に供給する点灯手段とを有する。これにより、矩形波信号を変換してノコギリ波信号または三角波信号を照明手段に供給することが可能になる。
【０００９】
さらに好ましくは、ノコギリ波信号及び三角波信号の振幅、周期は、矩形波信号のパルス振幅、パルス周期と同じである。
【００１０】
また、好ましくは、ノコギリ波信号及び三角波信号の波形は、矩形波信号の波形の立ち下がり時にピークを示す。
【００１１】
また、さらに好ましくは、波形変換手段は、矩形波信号を逆位相に変換する反転増幅回路と、逆位相の矩形波信号をノコギリ波信号または三角波信号に変換する積分回路とを有する。これにより、矩形波信号のオン状態のタイミングに合わせたピークタイミングを有するノコギリ波信号または三角波信号を照明手段に供給することが可能になる。
【００１２】
さらに好ましくは、反転増幅回路の有する第１オペアンプの出力端子は積分回路の有する第２オペアンプの反転入力端子と接続され、反転増幅回路の有する第１オペアンプの非反転入力端子は、積分回路の有する第２オペアンプの非反転入力端子と接続されることを特徴とする。
【００１３】
また、好ましくは、ノコギリ波信号及び三角波信号の周期は１／５０秒以下である。これにより、照明手段のちらつきを抑えることが可能になる。
【００１４】
また、好ましくは、照明手段は光源としてＬＥＤを備える。
【００１５】
また、好ましくは、増幅部はトランジスタを備える。
【発明の効果】
【００１６】
以上のように本発明によれば、照明装置を使って撮像が行われる場合に、各種ノイズの影響を低減させる矩形波信号の高周波成分を取り除いた波形の信号で照明装置を駆動する照明制御装置を提供するこができる。
【発明を実施するための最良の形態】
【００１７】
以下、本発明の第１の実施形態について、図を用いて説明する。図３は、第１の実施形態の照明制御装置を備える撮像装置１の背面からの斜視図である。図４は、撮像装置１の正面図である。図５は、撮像装置１の回路構成図である。図６は、図５の波形変換回路の回路構成図を示す。図７は、波形変換回路の各部における波形の変化を示す。撮像装置１はデジタルカメラであるとして説明する。
【００１８】
本実施形態では、パルス振幅及び振幅の定義について、矩形波、ノコギリ波、三角波信号のいずれにおいても、最大値と最小値の差すなわち振動の幅をいうものとして説明する。また、パルス振幅、パルス周期は矩形波信号に用い、振幅、周期はそれ以外の信号に用いる。
【００１９】
撮像装置１の撮像に関する部分は、光学ファインダ１１、ＬＥＤオンボタン１２、レリーズボタン１４、連写ボタン１５、動画ボタン１６、ＬＣＤモニタ１７、及び照明用ＬＥＤ３１から構成される。光学ファインダ１１は、被写体像を光学的に観察可能な装置である。被写体像は、ＬＣＤモニタ１７によってもＣＣＤ（不図示）などの撮像素子から構成される撮像ブロック２２によって撮像された画像を表示させることができる。
【００２０】
ＬＥＤオンボタン１２は、押下することによってＬＥＤオンスイッチ１２ａがオン状態にされ露光時などに照明用ＬＥＤ３１を点灯させる。レリーズボタン１４は、半押しすることにより測光スイッチ１３ａがオン状態にされ測光や測距及び合焦動作が行われ、全押しすることによりレリーズスイッチ１４ａがオン状態にされ撮像が行われる。連写ボタン１５は、押下することにより連写スイッチ１５ａがオン状態にされ、レリーズスイッチ１４ａがオン状態にされている間、１秒間に３コマなど時間的に連続して複数の被写体が撮像される。動画ボタン１６は、レリーズスイッチ１４ａがオン状態にされている間、記録するフレーム間隔で被写体が撮像される。
【００２１】
照明用ＬＥＤ３１は、周囲が暗い場合などに露光タイミングに合わせて露光時間内の間点灯して被写体に適当な光量を供給する照明装置である。照明用ＬＥＤ３１は、ノコギリ波信号または三角波信号により駆動する。ノコギリ波信号は、振幅Ｖｃｃ及び周期Ｃ１で、立ち下がり時と次の波形の立ち上がり時の間にオフ期間ａ１が設けられている。三角波信号は、振幅Ｖｃｃ及び周期Ｃ１で、立ち下がり時と次の波形の立ち上がり時の間にオフ期間が設けられず立ち下がりにより電圧がオフになった瞬時に次の波形の立ち上がりが始まる。ノコギリ波信号及び三角波信号の周期Ｃ１は照明用ＬＥＤ３１がちらつきを生じない１／５０秒以下であるのが望ましい。
【００２２】
照明用ＬＥＤ３１に供給されるノコギリ波信号または三角波信号は、後述するＣＰＵ２１のポートＰ２０から出力される矩形波信号が波形変換回路３４によって変換されて得られる。矩形波信号の１周期の中でオン状態の時間的長さの割合をデューティ比Ｄで表す。照明用ＬＥＤ３１が使用される場合、撮像動作が行われる露光時間内は、ＣＰＵ２１は、ノコギリ波信号などの振幅Ｖｃｃと同じパルス振幅Ｖｃｃ、ノコギリ波信号などの周期Ｃ１と同じパルス周期Ｃ１、デューティ比Ｄ（０％＜Ｄ＜１００％）で矩形波信号を出力し、露光時間外は矩形波信号を出力しない。ここで、矩形波信号のパルス周期Ｃ１の逆数をデューティ周波数ｆとする。このデューティ周波数ｆは、ＣＰＵ２１に予めセットされているが、使用者により変更できるようにしてもよい。デューティ比Ｄは、被写体に照射する所望の光量に応じて、ＣＰＵ２１内にあるＰＷＭタイマ機能にセットされる。従って、ＣＰＵ２１は矩形波信号発生機能を有する。
【００２３】
本実施形態では、使用者がＬＥＤオンスイッチ１２ａをオン状態にさせた時に強制的に照明用ＬＥＤ３１を点灯させる形態を説明するが、測光によって得られた露光値の大小から自動的に照明用ＬＥＤ３１を点灯させる形態であってもよい。
【００２４】
これらのスイッチの入力信号に対応する各種の出力はＣＰＵ２１によって制御される。ＣＰＵ２１の入出力信号を図５の回路構成図で説明する。ＬＥＤオンスイッチ１２ａ、測光スイッチ１３ａ、レリーズスイッチ１４ａ、連写スイッチ１５ａ、動画スイッチ１６ａのオン／オフ情報は、それぞれ１ビットのデジタル信号としてＣＰＵ２１のポートＰ１２、Ｐ１３、Ｐ１４、Ｐ１５、Ｐ１６に入力される。撮像ブロック２２、被写体の測光動作を実行して露光値を演算し、この露光値に基づき撮影に必要となる絞り値及び露光時間を演算するＡＥ部２３、及び測距を行い測距結果に基づき撮影に必要となる合焦動作を行うＡＦ部２４は、それぞれポートＰ３、Ｐ４、Ｐ５で信号の入出力が行われる。
【００２５】
ポートＰ２０では、照明用ＬＥＤ３１を点灯させるノコギリ波信号または三角波信号を供給する波形変換回路３４が接続される。ＣＰＵ２１は、ポートＰ２０を介してデューティ比Ｄの矩形波信号を波形変換回路３４へ入力する。
【００２６】
波形変換回路３４は、反転増幅回路３４１と積分回路３４２から構成される。反転増幅回路３４１は、パルス振幅Ｖｃｃ、パルス周期Ｃ１の矩形波信号（図７のｉｎ時の波形）を逆位相の矩形波信号に変換する（図７の（ａ）の波形）。積分回路３４２は、逆位相になった矩形波信号を振幅Ｖｃｃ、周期Ｃ１のノコギリ波信号または三角波信号に変換する（図７のｏｕｔ時の波形）。
【００２７】
反転増幅回路３４１は、抵抗Ｒ１１、Ｒ１２と第１オペアンプ３４１０とを有し、入力される矩形波信号のパルス振幅Ｖｃｃ、パルス周期Ｃ１に対して、出力される矩形波信号がパルス振幅Ｖｃｃ、パルス周期Ｃ１でかつ逆位相になるように構成される。第１オペアンプ３４１０には電源電圧Ｖｃｃが印加される。第１オペアンプ３４１０の反転入力端子には抵抗Ｒ１１を介して入力信号である矩形波信号が入力される。第１オペアンプ３４１０の非反転入力端子は１／２Ｖｃｃの電源に接続される。また、後述する積分回路３４２の第２オペアンプ３４２０の非反転入力端子に接続される。第１オペアンプ３４１０の出力端子からは、入力時の矩形波信号と同振幅、同周期、逆位相の矩形波信号が出力される。また、第１オペアンプ３４１０の出力端子は、抵抗Ｒ１２を介して第１オペアンプ３４１０の反転入力端子に接続される。
【００２８】
積分回路３４２は、抵抗Ｒ２、Ｒ３とコンデンサＣとダイオードＤ１と第２オペアンプ３４２０とを有し、入力される逆位相の矩形波信号のパルス振幅Ｖｃｃ、パルス周期Ｃ１に対して、出力されるノコギリ波信号または三角波信号が振幅Ｖｃｃ、周期Ｃ１になるように構成される。第２オペアンプ３４２０には電源電圧にＶｃｃが印加される。第２オペアンプ３４２０の反転入力端子には、抵抗Ｒ３を介して入力信号である逆位相の矩形波信号が入力され、さらに抵抗Ｒ３と並列に抵抗Ｒ２とダイオードＤ１が直列に接続される。第２オペアンプ３４２０の非反転入力端子は、反転増幅回路３４１の第１オペアンプ３４１０の非反転入力端子に接続される。第２オペアンプ３４２０の出力端子からは、ノコギリ波信号または三角波信号が出力される。また、第２オペアンプ３４２０の出力端子は、コンデンサＣを介して第２オペアンプ３４２０の反転入力端子に接続される。
【００２９】
なお、第１オペアンプ３４１０の出力端子と、第２オペアンプの反転入力端子の間の抵抗Ｒ３に、直列に接続された抵抗Ｒ２とダイオードＤ１が並列に接続される場合は、第２オペアンプ３４２０からの出力波形はノコギリ波となり、ダイオードＤ１がなく抵抗Ｒ２だけが抵抗Ｒ３と並列に接続される場合は、第２オペアンプ３４２０からの出力波形は三角波となる。
【００３０】
ノコギリ波信号または三角波信号は、点灯手段に相当する電流制限抵抗３３、トランジスタＴｒ１、制限抵抗３２を介して照明用ＬＥＤ３１に供給される。トランジスタＴｒ１は、照明用ＬＥＤ３１に供給されるノコギリ波信号または三角波信号を増幅するように接続されたＮＰＮトランジスタで、ベースが電流制限抵抗３３，波形変換回路３４を介してＣＰＵ２１に接続される。トランジスタＴｒ１のエミッタは接地され、コレクタは制限抵抗３２を介して照明用ＬＥＤ３１のカソードに接続される。また、照明用ＬＥＤ３１のアノードは、電源Ｖｃｃに接続される。従って、ＣＰＵ２１と波形変換回路３４と電流制限抵抗３３とトランジスタＴｒ１と制限抵抗３２は、ノコギリ波信号または三角波信号を照明用ＬＥＤ３１に供給する信号供給機能を有する。
【００３１】
測光スイッチ１３ａをオン状態にすることにより（レリーズボタン１４を半押し）、ポートＰ１３にオン信号が入力されると、ＣＰＵ２１は、ＡＥ部２３のＡＥセンサ（不図示）を駆動し、被写体光の測光動作を実行して露光値を演算し、この露光値に基づき撮影に必要となる絞り値及び露光時間を演算する。また、ＣＰＵ２１は、ＡＦ部２４のＡＦセンサ（不図示）を駆動し、測距を行う。この測距結果に基づきＡＦ部２４のレンズ制御回路（不図示）を駆動しレンズ位置を光軸方向に変位させ焦点距離調節を行う。
【００３２】
レリーズスイッチ１４ａをオン状態にすることにより（レリーズボタン１４を全押し）、ポートＰ１４にオン信号が入力されると、ＣＰＵ２１は、撮像動作を行う。すなわち上述した絞り値に応じて絞り機構（不図示）を駆動し、シャッタ機構（不図示）を所定のシャッタ速度でレリーズ駆動し、ＣＣＤなどの撮像ブロック２２を駆動し露光を行う。
【００３３】
レリーズスイッチ１４ａがオン状態にあり、かつＬＥＤオンスイッチ１２ａがオン状態にされ、ポートＰ１２、Ｐ１４にオン信号が入力されていると、ＣＰＵ２１は、撮像ブロック２２の露光タイミングに合わせて矩形波信号を出力し、波形変換回路３４によって変換されたノコギリ波信号または三角波信号が照明用ＬＥＤ３１を点灯させる。
【００３４】
レリーズスイッチ１４ａがオン状態にあり、かつ連写スイッチ１５ａがオン状態にされ、ポートＰ１４、Ｐ１５にオン信号が入力されていると、ＣＰＵ２１は、レリーズスイッチ１４ａのオン状態が継続されている間、一定間隔で撮像すなわちシャッタ機構のレリーズ駆動、撮像ブロック２２の駆動、及び露光が行われる。従って、ＣＰＵ２１は、被写体の撮像を時間的に連続して２回以上行わせる連写制御機能を有する。連写スイッチ１５ａではなく、動画スイッチ１６ａがオン状態にされ、ポートＰ１４、Ｐ１６にオン信号が入力されていると、ＣＰＵ２１は、レリーズスイッチ１４ａのオン状態が継続されている間、記録するフレーム間隔で撮像ブロック２２の駆動、及び露光が行われる。
【００３５】
レリーズスイッチ１４ａがオン状態にあり、かつＬＥＤオンスイッチ１２ａ、及び連写スイッチ１５ａがともにオン状態にされている場合は、露光時間ごとにＣＰＵ２１から矩形波信号が出力される。
【００３６】
露光時間に合わせて、ＣＰＵ２１はパルス周期Ｃ１、デューティ比Ｄ、パルス振幅Ｖｃｃの矩形波信号を出力する。波形変換回路３４は矩形波信号を周期Ｃ１、振幅Ｖｃｃのノコギリ波信号または三角波信号に変換及び出力する。ノコギリ波信号または三角波信号は電流制限抵抗３３、トランジスタＴｒ１、制限抵抗３２を介して照明用ＬＥＤ３１に供給される。
【００３７】
ノコギリ波信号又は三角波信号は、矩形波信号から高周波成分が取り除かれた信号である。従って、高周波成分が取り除かれたノコギリ波信号または三角波信号によって照明用ＬＥＤ３１が点灯される間、矩形波信号によって照明用ＬＥＤ３１が点灯される場合に比べて、電源ラインのノイズ、高周波成分による周辺回路へのノイズ影響、及び突入電流を低減させることが可能になる。
【００３８】
また、露光時間内の間、ノコギリ波信号または三角波信号によって連続的な点滅動作が繰り返されることにより、矩形波信号による照明用ＬＥＤ３１の駆動と同様に照明用ＬＥＤ３１の温度上昇抑制の効果が得られる。更に、露光時間の間供給されるノコギリ波信号または三角波信号は、その振幅Ｖｃｃが一定であるので発光量の安定、瞬時の光量供給、回路の単純化など、露光時間の間に振幅を時間とともに変化させて三角波信号などを供給する場合に比べてメリットがある。
【００３９】
次に、連写時（連写スイッチ１５ａがオン状態）における照明用ＬＥＤ３１の点灯制御を図８のフローチャートで説明する。
【００４０】
ステップＳ１１で、撮像装置１の電源がオンにされると、ステップＳ１２で、ＣＰＵ２１に矩形波信号のデューティ周波数ｆがセットされる。但し、予めデューティ周波数ｆをセットしておいてもよい。
【００４１】
ステップＳ１３で、測光スイッチ１３がオン状態にされたか否かを判断する。測光スイッチ１３ａがオン状態にされていない場合にはステップＳ１３を繰り返す。測光スイッチ１３ａがオン状態にされている場合は、ステップＳ１４で、ＡＥ部２３のＡＥセンサ駆動により測光が行われ、絞り値や露光時間が演算される。次に、ステップＳ１５で、ＡＦ部２４のＡＦセンサが駆動され測距が行われ、ＡＦ部２４のレンズ制御回路駆動により合焦動作が行われる。
【００４２】
ステップＳ１６で、レリーズスイッチ１４ａがオン状態にされたか否かを判断する。レリーズスイッチ１４ａがオン状態にされていない場合には、ステップＳ１７で測光スイッチ１３ａがオン状態にされたか否かを判断する。ステップＳ１７の判断で測光スイッチ１３ａがオン状態にされている場合はステップＳ１６に戻る。ステップＳ１７の判断で測光スイッチ１３ａがオン状態にされていない場合は、ステップＳ１３に戻る。ステップＳ１６の判断で、レリーズスイッチ１４ａがオン状態にされている場合は、ステップＳ１８で、ＬＥＤオンスイッチ１２ａがオン状態にされているか否かを判断する。
【００４３】
ステップＳ１８の判断で、ＬＥＤオンスイッチ１２ａがオン状態にされていない場合は、レリーズスイッチ１４ａに対応した露光時間の間、照明用ＬＥＤ３１は駆動されず、ステップＳ２０で照明用ＬＥＤ３１が消灯した状態でＣＣＤの電荷蓄積すなわち露光が行われる。オン状態にされている場合は、ステップＳ１９で、ステップＳ１６のレリーズスイッチ１４ａに対応した露光時間内の間、設定されたデューティ比Ｄ（０％＜Ｄ＜１００％）で矩形波信号が出力され、矩形波信号は波形変換回路３４によってノコギリ波信号または三角波信号に変換され、ノコギリ波信号または三角波信号は電流制限抵抗３３、トランジスタＴｒ１、制限抵抗３２を介して、照明用ＬＥＤ３１に供給され、ステップＳ２０で、照明用ＬＥＤ３１が点灯した状態でＣＣＤの電荷蓄積すなわち露光が行われる。
【００４４】
露光時間終了後、ステップＳ２１で、ステップＳ１９で点灯された照明用ＬＥＤ３１を消灯させる。すなわち、ＣＰＵ２１から出力される矩形波信号のデューティ比Ｄが０％にされる。ステップＳ２２で、ＣＣＤ入力、すなわち露光時間内の間ＣＣＤに蓄積された電荷が移動せしめられ、ステップＳ２３で、移動された電荷が撮像ブロック２２によって撮像された画像信号として撮像装置１内の映像メモリに記憶される。ステップＳ２４で、記憶された画像信号は、ＬＣＤモニタ１７によって表示される。
【００４５】
ステップＳ２５で、連写スイッチ１５ａがオン状態にされているか否かを判断する。連写スイッチ１５ａがオン状態にされている場合は、ステップＳ１６に戻り、次の露光が行われる。連写スイッチ１５ａがオン状態にされていない場合は、ステップＳ２６で、一連の連写時における照明用ＬＥＤ３１の点灯制御は終了する。
【００４６】
図８のフローチャートは、連写時だけでなく動画撮像時（動画スイッチ１６ａがオン状態）における照明用ＬＥＤ３１の点灯制御にも置き換えることが可能である。
【００４７】
本実施形態では、矩形波信号のパルス振幅、パルス周期が、ノコギリ波信号及び三角波信号の振幅、周期と同じである形態を説明したが、異なる形態であってもよい。所望するノコギリ波信号及び三角波信号の振幅、周期に合わせて、矩形波信号のパルス振幅、パルス周期と回路構成を行えば同様の効果が得られるからである。
【００４８】
また、照明装置はＬＥＤの発光によるものとして説明したが、トランジスタ回路を介した矩形波駆動で、露光時間内に照明させ、連続使用により発光部材の温度が上昇し、温度上昇により光量が低下するような他の発光部材であってもよい。
【００４９】
本発明の実施形態として、撮像装置１は、撮像素子により被写体を撮像するデジタルカメラの形態を説明したが、銀塩カメラであっても同様の効果が得られる。
【図面の簡単な説明】
【００５０】
【図１】ＬＥＤの温度上昇と光量減少の関係を示す図である。
【図２】ＤＣ駆動と矩形波駆動の場合の、時間変化によるＬＥＤの温度変化を示す図である。
【図３】本実施形態の撮像装置の外観を示す背面からみた斜視図である。
【図４】撮像装置の正面図である。
【図５】実施形態の撮像装置の回路構成図である。
【図６】波形変換回路の回路構成図である。
【図７】波形変換回路の各部における信号の波形の変化を示す。
【図８】連写時における露光時間内に照明用ＬＥＤを点灯制御するフローチャートである。
【符号の説明】
【００５１】
１  撮像装置
１１  光学ファインダ
１２  ＬＥＤオンボタン
１４  レリーズボタン
１５  連写ボタン
１６  動画ボタン
１７  ＬＣＤモニタ
２２  撮像ブロック
２３  ＡＥ部
２４  ＡＦ部
３１  照明用ＬＥＤ
３４  波形変換回路
【図１】
2005181810.tif 000003
【図２】
2005181810.tif 000004
【図３】
2005181810.tif 000005
【図４】
2005181810.tif 000006
【図５】
2005181810.tif 000007
【図６】
2005181810.tif 000008
【図７】
2005181810.tif 000009
【図８】
2005181810.tif 000010